(57)【要約】【課題】  梁の長手方向に屋根や化粧材を自由に取付けできる簡易建物の提供。【解決手段】  梁１と、屋根７と、化粧材８とを備え、屋根７は、梁１の上面に載置するか、梁１の下面に吊り下げて支持してあり、梁１の長手方向に移動可能であり、化粧材８は、梁１の長手方向のうち、屋根７が取付けてない範囲の梁１の下面から地面Ｇにわたって設けてあり、梁１の長手方向に移動可能である。【選択図】      図１
2020084493.tif 000002
【特許請求の範囲】
【請求項１】
梁と、屋根と、化粧材とを備え、屋根は、梁の上面に載置するか、梁の下面に吊り下げて支持してあり、梁の長手方向に移動可能であり、化粧材は、梁の長手方向のうち、屋根が取付けてない範囲の梁の下面から地面にわたって設けてあり、梁の長手方向に移動可能であることを特徴とする簡易建物。
【発明の詳細な説明】
【技術分野】
【０００１】
本発明は、カーポート等の簡易建物に関する。
【背景技術】
【０００２】
従来より、カーポート（例えば、非特許文献１参照）の梁の長手方向に屋根や化粧材（スクリーン等）を自由に取付けたいという要望がある。
【先行技術文献】
【非特許文献】
【０００３】
【非特許文献１】三協立山株式会社 三協アルミ社発行のカタログ「エクステリア 総合カタログ」（カタログＮｏ．ＳＴＸ１１７５Ａ  ＫＹ．１８．０２−３０００）、２０１８年２月、ｐ．９１４
【発明の概要】
【発明が解決しようとする課題】
【０００４】
本発明は以上に述べた実情に鑑み、梁の長手方向に屋根や化粧材を自由に取付けできる簡易建物の提供を目的とする。
【課題を解決するための手段】
【０００５】
上記の課題を達成するために請求項１記載の発明による簡易建物は、梁と、屋根と、化粧材とを備え、屋根は、梁の上面に載置するか、梁の下面に吊り下げて支持してあり、梁の長手方向に移動可能であり、化粧材は、梁の長手方向のうち、屋根が取付けてない範囲の梁の下面から地面にわたって設けてあり、梁の長手方向に移動可能であることを特徴とする。
【発明の効果】
【０００６】
請求項１記載の発明による簡易建物は、屋根が梁の上面に載置するか、梁の下面に吊り下げて支持してあり、梁の長手方向に移動可能であり、化粧材は、梁の長手方向のうち、屋根が取付けてない範囲の梁の下面から地面にわたって設けてあり、梁の長手方向に移動可能であるため、梁の長手方向に屋根や化粧材を自由に取付けできるので、家々の敷地の形状や玄関の位置等に合わせた最適な簡易建物を提供できる。
【図面の簡単な説明】
【０００７】
【図１】本発明の簡易建物の一実施形態を示す正面図である。
【図２】同簡易建物の平面図である。
【図３】（ａ）はスクリーン部を拡大して示す正面図であり、（ｂ）は同側面図である。
【図４】図３のＡ−Ａ断面図である。
【図５】図２のＢ−Ｂ断面図である。
【図６】図５のＣ−Ｃ断面図である。
【図７】梁下面の取付溝への回転金具の取付け方を示す梁の縦断面図及び底面図である。
【図８】本発明の簡易建物の他の実施形態を示す正面図である。
【図９】本発明の簡易建物のさらに別の実施形態を示す正面図である。
【図１０】本発明の簡易建物の施工手順を示す正面図である。
【図１１】屋根を梁に吊り下げて支持する場合の縦断面図である。
【図１２】図１１のＤ−Ｄ断面図である。
【図１３】柱にスクリーンを連結した実施形態を示す正面図である。
【図１４】図１３のＥ−Ｅ断面図である。
【図１５】スクリーンを柱の見付面に連結した場合の横断面図である。
【発明を実施するための形態】
【０００８】
以下、本発明の実施の形態を図面に基づいて説明する。図１〜６は、本発明の簡易建物の一実施形態を示している。本簡易建物は、住宅の敷地内における建物の前方に設置されるもので、図１，２に示すように、梁１の両端を柱９，９で支持した門型の前フレーム１０ａ及び後フレーム１０ｂと、前後のフレーム１０ａ，１０ｂの梁１上に設置した二つの屋根７，７と、前フレーム１０ａの梁１の下面から地面Ｇの間に設けた二つのスクリーン（化粧材）８，８を有している。
梁１は、図１に示すように、２本の同じ長さの中空アルミ形材１ａ，１ｂを中空部内に配置した連結材１１で連結して長くしたものであり、全長が約１２ｍある。各屋根７は、それぞれ１台の乗用車１２をカバーするのに十分な大きさを有しており、梁１の全長のうちの右半分の上面に２つ並べて取付けてある。スクリーン８は、梁１の長手方向のうちの屋根７が取付けてない範囲に設置されるもので、一つは左側の柱９に隣接して配置され、もう一つは梁１の左半分のほぼ中間位置に設けてある。建物の玄関１３は、簡易建物を正面から見た時に、簡易建物の間口の中央部左寄りの位置にあって、玄関１３の右側に左側の屋根７が、玄関１３の左側に右側のスクリーン８がそれぞれ位置するように、梁１に屋根７とスクリーン８を取付けてある。
本簡易建物は、図１，８，９に示すように、家々の敷地の形状や玄関１３の位置等に応じて、屋根７とスクリーン８の位置を梁１の長手方向に移動できるものである。
【０００９】
梁１は、図６に示すように、上面の左右両側に屋根７を取付けるための鉤状の係合部１４を長手方向に有している。梁１の下面には、屋根７又は化粧材８を取付けるための取付溝（係合部）６を長手方向に有している。
【００１０】
スクリーン８は、図３，４に示すように、梁１の下面と地面Ｇとの間に跨って取付けた複数本の格子３，３，…と柱２を備えている。格子３及び柱２が取付く位置の梁１の下面の取付溝６内には、回転金具５がそれぞれ設けてある。回転金具５は、図７（ａ）に示すように、略長方形の板状の部材であり、回転金具５の幅は取付溝６の開口寸法Ｘより僅かに小さく、長辺の長さは取付溝６の開口寸法Ｘよりも長く、且つ取付溝６奥側の幅広部の寸法Ｙより僅かに短くなっており、対角の位置にある角部を斜めに面取りしてある。また回転金具５は、幅方向の中心に対して前後方向に偏心した位置に雌ねじ孔１５が設けてある。回転金具５は、図７（ａ）に示すように、長手方向を取付溝６の長手方向に沿わせた向きで、取付溝６に下方より挿入し、その後、図７（ｂ）に示すように、垂直回りに９０°回転させることで、取付溝６に係止する。取付溝６が梁１の長手方向に設けてあり、回転金具５を後から幾つでも、取付溝６の任意の位置に取付けることができる。よって、スクリーン８が移動可能で格子３や柱２のピッチや本数を自由に設定できる。
図３，４に示すように、回転金具５の下方には、コ字形の取付金具４が回転金具５の雌ねじ孔１５に螺入するねじ１６で取付けてある。格子３と柱２は、アルミ形材よりなる角パイプ状の部材であり、上端部に取付金具４を挿入して上端を梁１下面に当接し、前後からのねじ１７で取付金具４に固定してある。格子３と柱２の下部は、地中に埋め込んである。柱２は、内部に補強材４９を挿入してあり、また、前後面に目板５０を取付けてねじ１７を隠してある。
このように格子３と柱２を取付けることで、スクリーン８は梁１の長手方向に位置を移動できると共に、格子３の本数やピッチを自由に設定することができる。また、回転金具５を用いたことで、既存の簡易建物に後からスクリーン８を取付けることも可能である。
【００１１】
各屋根７は、図２に示すように、左右両側に桁１８，１８を有し、左右の桁１８，１８の前側の端部間と後側の端部間に妻垂木１９，１９を取付け、前後の妻垂木１９，１９の間の左右の桁１８，１８間に複数の垂木２０，２０，…を前後方向に間隔をおいて取付け、妻垂木１９と垂木２０の間、垂木２０同士の間に樹脂製の屋根パネル２１，２１，…を取付けて構成してある。妻垂木１９と垂木２０は、図５に示すように、上側に膨らむようにＲ状に湾曲している。桁１８の外側には桁破風２２ａが、妻垂木１９の外側には妻破風２２ｂがそれぞれ取付けてあり、簡易建物の周囲から見ると屋根７がこれらの破風２２ａ，２２ｂに隠れて見えないようになっている。
【００１２】
桁１８は、図５に示すように、屋根パネル２１から流れてきた雨水を受ける樋部２３を有している。また、桁１８の下面には溝状の被取付部２４が長手方向に設けてある。被取付部２４には、ボルト２５を通した裏板２６が保持してあり、ボルト２５の頭が被取付部２４と係合することでボルト２５が回り止めされている。そして、図６に示すように、梁１上面に屋根受けピース２７を置き、屋根受けピース２７上に桁１８を載置すると共に、梁１上面両側の係合部１４に係合させた屋根固定金具２８に前記ボルト２５を通し、ボルト２５にナット２９を螺合させて締付けることで、屋根７を梁１上に固定している。梁１上面に係合部１４が長手方向に設けてあることで、屋根７を梁１の長手方向に移動することができる。また、桁１８に被取付部２４が長手方向に設けてあることで、屋根７の位置を前後に移動することができる。
【００１３】
次に、本簡易建物の施工手順を説明する。まず、図１０（ａ）に示すように、前後のフレーム１０ａ，１０ｂの柱９の下部を地面Ｇに開けた穴３０に挿入し、柱９に支え棒（図示省略）を縛り付けて、前後のフレーム１０ａ，１０ｂを自立させる。地面Ｇには、柱９の位置に加え、スクリーン８を配置する位置にも穴３０を開けておく。次に、図１０（ｂ）に示すように、梁１下面の取付溝６に回転金具５を下方より挿入し、回転して回転金具５を取付溝６に係止させた後（図７参照）、回転金具６に取付金具４をねじ１６で取付ける。次に、図１０（ｃ）に示すように、格子３及び柱２の上端部を取付金具４に下方より嵌め、前後からねじ１７で固定する。その後、図１０（ｄ）に示すように、格子３及び柱２の下部に添え木３１を当てて動かないように固定してから、地面の穴３０にモルタル３２を流し込む。モルタル３２が固まったら、支え棒と添え木３１を取外す。その後、梁１の上に屋根７を取付ける。屋根７の取付け手順は、まず左右の桁１８，１８を梁１の上面に屋根固定金具２８等を用いて取付け、左右の桁１８，１８間に妻垂木１９と垂木２０を取付け、妻垂木１９と垂木２０の間、垂木２０同士の間に屋根パネル２１を取付ける。その後、屋根７の周囲を囲むように破風２２ａ，２２ｂを取付ける。
【００１４】
屋根７は、図１１，１２に示すように、梁１の下に吊り下げて支持することもできる。この場合、左右の桁１８，１８がそれぞれ２本の吊り下げ金具３３ａ，３３ｂで梁１に取付けられる。吊り下げ金具３３ａ，３３ｂの上部は、梁１下面の取付溝６に取付けた金具３４に取付けてあり、吊り下げ金具３３ａ，３３ｂの下部は、桁１８の上面側に設けた被取付部３５に取付けた金具３６に取付けてある。梁１下面に取付溝６が長手方向に設けてあり、桁１８に被取付部３５が長手方向に設けてあることで、梁１の上に載せる場合と同様に、屋根７を梁１の長手方向に移動することができ、また、屋根７の位置を前後に移動することもできる。
【００１５】
図８は、本発明の簡易建物の他の実施形態を示している。本実施形態は、２つの屋根７，７が梁１の全長の中央寄りの位置に並べて取付けてあり、前フレーム１０ａの左右の柱９，９に隣接してスクリーン８，８を取付けてある。建物の玄関１３は、簡易建物を正面から見た時に、簡易建物の間口の右寄りの位置にあって、玄関１３の右側に右側のスクリーン８が、玄関１３の左側に右側の屋根７がそれぞれ位置するように、梁１に屋根７とスクリーン８を取付けてある。
図９は、本発明の簡易建物のさらに別の実施形態を示している。本実施形態は、梁１の全長のうちの左右両側に寄せて２つの屋根７，７が取付けてあり、梁１の中央寄りの位置に２つのスクリーン８，８を隣接して設けてある。
【００１６】
以上に述べたように本簡易建物は、梁１の下面に取付溝６を長手方向に有し、回転金具５を取付溝６に下方より挿入してから回転すると回転金具５が取付溝６に係止し、その回転金具５に取付金具４をねじ止めし、取付金具４に柱２又は格子３の上端部を取付けることで、梁１の長手方向の任意の位置に柱２又は格子３を自由に取付けることができ、施工性が良い。また、梁１下に柱２又は格子３を後付けすることもできる。回転金具５と取付金具４は外から見えず、梁１の下面に直接柱２又は格子３を取付けできるので、意匠性も良い。
柱２又は格子３は、下部を地中に埋め込んであるので、予め地面Ｇに穴３０を開けておくことで、柱２又は格子３を梁１下面に取付けた取付金具４に下方より容易に取付けでき、地面Ｇの穴３０にモルタル３２を流し込むことで、柱２又は格子３の下部を容易に且つ確実に固定できる。
【００１７】
本発明の簡易建物の製造方法は、下部を地面Ｇに開けた穴３０に挿入した状態で、柱２又は格子３を梁１の長手方向の任意の位置に梁１の下面より吊り下げて取付ける工程と、地面Ｇの穴３０にモルタル３２を充填して、柱２又は格子３の下部を固定する工程を有するので、柱２又は格子３を梁１の長手方向のどの位置にも取付けることができ、しかも柱２又は格子３を取付ける際の施工性が良い。
【００１８】
また、本簡易建物は、屋根７が梁１の上面に載置するか、梁１の下面に吊り下げて支持してあり、梁１の長手方向に移動可能であり、化粧材（スクリーン）８は、梁１の長手方向のうち、屋根７が取付けてない範囲の梁１の下面から地面Ｇにわたって設けてあり、梁１の長手方向に移動可能であるため、梁１の長手方向に屋根７や化粧材８を自由に取付けできるので、家々の敷地の形状や玄関１３の位置等に合わせた最適な簡易建物を提供できる。
さらに本簡易建物は、梁１に屋根７が２つ以上、化粧材８を１つ以上取付けてあるので、屋根７と化粧材８のレイアウトを自由に組み合わせて、多様なバリエーションを持たせることができ、敷地対応力が一段と向上する。
本簡易建物は、梁１の上面及び下面に、屋根７又は化粧材８を取付けるための係合部６，１４を長手方向に有するので、梁１の長手方向のいろいろな位置に屋根７又は化粧材８を取付けできる。
【００１９】
図１３，１４は、本発明による簡易建物の参考例であって、フレーム１０ａ，１０ｂの柱９の見込面３７にスクリーン３８を連結した実施形態を示している。スクリーン３８は、図１４に示すように、柱９側の端部に半円柱状断面の角度調整材３９を有しており、角度調整材３９の円弧面４０に一側端部を当接してねじ止めすることで、角度を調整できるものとなっている。
柱９の見込面３７には、中空アルミ形材よりなる連結材４１が取付けてあり、連結材４１により柱９とスクリーン３８とを連結している。連結材４１は、柱取付面４２とスクリーン取付面４３を有しており、柱取付面４２の幅がスクリーン取付面４３の幅よりも狭くなっている。柱取付面４２の幅は、柱９の見付面４４の幅と同じになっている。柱取付面４２には、柱９と梁１を連結する連結金具４５を固定するためのボルト４６（図３参照）の頭を逃がすために、溝４７が形成してある。スクリーン取付面４３の幅は、角度調整材３９の幅と同じになっている。柱取付面４２とスクリーン取付面４３との間の連結壁４８は、角度調整材３９と対称になるように円弧状に形成してある。
【００２０】
図１５は、同じ連結材４１を使用して、柱９の見付面（後面）４４にスクリーン３８を連結した場合を示している。連結材４１は、柱取付面４２の幅をスクリーン取付面４３の幅よりも小さくしてあることで、スクリーン３８の幅よりも狭い柱９の見付面４４にスクリーン３８を体裁良く連結できる。
このように、本連結材４１を用いることで、柱９の見込面３７と見付面４４の何れにもスクリーン３８を体裁良く連結できる。
【００２１】
本発明は以上に述べた実施形態に限定されない。屋根及び化粧材の構造は問わない。屋根又は格子の梁に対する取付部の構造は、適宜変更することができる。屋根は、一つで複数台の乗用車の上をカバーできるものであってもよい。化粧材の柱又は格子は、下部を地面に埋め込まないもの、例えばアングル状の金具で地面に固定するものであってもよい。本発明は、カーポートに限らず、例えば通路用のシェルター、テラスの屋根など、あらゆる簡易建物に適用することができる。
【符号の説明】
【００２２】
１  梁
２  柱
３  格子
４  取付金具
５  回転金具
６  取付溝
７  屋根
８  スクリーン（化粧材）
【図１】
2020084493.tif 000003
【図２】
2020084493.tif 000004
【図３】
2020084493.tif 000005
【図４】
2020084493.tif 000006
【図５】
2020084493.tif 000007
【図６】
2020084493.tif 000008
【図７】
2020084493.tif 000009
【図８】
2020084493.tif 000010
【図９】
2020084493.tif 000011
【図１０】
2020084493.tif 000012
【図１１】
2020084493.tif 000013
【図１２】
2020084493.tif 000014
【図１３】
2020084493.tif 000015
【図１４】
2020084493.tif 000016
【図１５】
2020084493.tif 000017